(57)【要約】【課題】衣服・カバン等における開口形成方法及びそれに使用する開口形成具を提供する。【解決手段】開口形成方法と開口形成具。開口形成方法は、合成樹脂シート（１）の少なくとも一部分を取付対象物（３）に固着し、その固着部分の範囲内で切断加工することにより、前記合成樹脂シート及び前記取付対象物の双方に対して貫通切断部（２）を形成する。開口形成具は、この方法において使用する合成樹脂シート（１）であって、使用時には取付対象物を貫通する切断部（２）が設けられている。【選択図】図１
2008263341.tif 000002
【特許請求の範囲】
【請求項１】
合成樹脂シート（１，１Ａ，１Ｃ，１Ｄ，１Ｅ）の少なくとも一部分を取付対象物（３，３Ａ，３Ｃ）に固着し、その固着部分の範囲内で切断加工することにより、前記合成樹脂シート及び前記取付対象物の双方に対して貫通切断部（２，２Ａ，２Ｂ，２Ｃ，２Ｄ，２Ｅ）を形成することを特徴とする開口形成方法。
【請求項２】
合成樹脂シート（１，１Ａ，１Ｃ，１Ｄ，１Ｅ）の少なくとも一部分を前記取付対象物（３，３Ａ，３Ｃ）にホットメルト接着により固着する請求項１記載の方法。
【請求項３】
請求項１又は２記載の方法において使用する合成樹脂シート（１，１Ａ，１Ｃ，１Ｄ，１Ｅ）であって、使用時には取付対象物を貫通する切断部（２，２Ａ，２Ｃ，２Ｄ，２Ｅ）が設けられていることを特徴とする開口形成具。
【請求項４】
テープ状本体部分（５）と、長手方向一端に設けられた切断部形成部分（６）と、他端に設けられたストッパー部分（７）とからなる合成樹脂シート（１Ｃ）で一体的に形成されており、
使用時において、前記切断部形成部分（６）が取付対象物（３Ｃ）に固着され、その固着部分の範囲内で切断加工されることにより、前記合成樹脂シート（１Ｃ）及び前記取付対象物（３Ｃ）の双方に対して切断貫通部（２Ｃ）が形成されていることを特徴とする開口形成具（１Ｃ）。
【請求項５】
前記本体部分（５）の中央に折り目（５１）が形成されている請求項４記載の開口形成具（１Ｃ）。
【請求項６】
請求項４記載の開口形成具（１Ｃ）を取付対象物（３ｃ）に取り付ける方法であって、前記切断部形成部分（６）を前記取付対象物（３Ｃ）の内側に固着し、前記本体部分（５）を前記切断貫通部（２Ｃ）に挿通することにより、前記本体部分（５）のみを円筒状に前記取付対象物（３Ｃ）の外側に突出させることを特徴とする方法。
【請求項７】
イヤホンコード保持具である請求項３〜５の何れかに記載の開口形成具。
【請求項８】
請求項３に記載した開口形成具（１，１Ａ）を複数個衣服に取り付け、前記貫通切断部（２，２Ａ）にイヤホンコードを挿通させることを特徴とするイヤホンコード保持具付き衣服。
【請求項９】
請求項４又は５に記載した開口形成具（１Ｃ）を複数個衣服に取り付け、前記円筒状の本体部分（５）にイヤホンコードを挿通させることを特徴とするイヤホンコード保持具付き衣服。
【請求項１０】
衣服の通気孔（１Ｄ）、ポケット開口（１Ｅ）、袖の指通し孔、ボタンホール、カバンの装飾取付孔のうちのいずれかである請求項３〜５の何れかに記載の開口形成具。
【発明の詳細な説明】
【技術分野】
【０００１】
本発明は、衣服・カバン等における開口形成方法及びそれに使用する開口形成具に関する。この開口形成具は、もともとイヤホンコード保持具として開発されたものであるが、その目的の他に、衣服の通気孔、袖の指通し孔、ボタンホール、カバンの装飾取付孔等として使用することができる。
【背景技術】
【０００２】
ラジオや音楽プレーヤーをイヤホンで聞くとき、イヤホンコード（以下では、単に「コード」ということもある。）が体の動きの邪魔になったり、スピーカーが耳から外れ、コードが落下したり、もつれたりすることがある。この問題を解決するため、下記特許文献１では、衣服のポケットや胸などに保持板を取り付け、「イヤホン懸架具」でコードを留めている。
【特許文献１】特開２００１−２４５３７３
【発明の開示】
【発明が解決しようとする課題】
【０００３】
前記特許文献１の発明は、衣服に対して簡単に取り付け・取り外しが可能である。それは長所であると共に、紛失しやすい、持参するのを忘れやすい、という短所ともなる。
【０００４】
また、この保持板を取り付けるにはポケットを必要とするので、せいぜい１個所でコードを固定することができるだけである。固定個所以外ではコードはたるんだままである。
【０００５】
本発明は、イヤホンコード保持具として使用したとき、衣服に対して、洗濯のとき以外にはコードをほぼ付けっぱなしにすると共に、コードのたるみを極力防止することのできるイヤホンコード保持具を提供する。その他、冒頭に記したように、他のさまざまな目的に使用することもできる。
【課題を解決するための手段】
【０００６】
本発明請求項１の開口形成方法は、合成樹脂シートの少なくとも一部分を取付対象物に固着し、その固着部分の範囲内で切断加工することにより、合成樹脂シート及び取付対象物の双方に対して貫通部を形成することを特徴とする。
【０００７】
本発明請求項３の開口形成具は、請求項１の方法において使用する合成樹脂シートであって、使用時には取付対象物を貫通する切断部が設けられていることを特徴とする。
【０００８】
本発明請求項４の開口形成具は、テープ状本体部分と、長手方向一端に設けられた切断部形成部分と、他端に設けられたストッパー部分とからなる合成樹脂シートで一体的に形成されており、使用時において、前記切断部形成部分が取付対象物に固着され、その固着部分の範囲内で切断加工されることにより、合成樹脂シート及び取付対象物の双方に対して切断貫通部が形成されていることを特徴とする。
【０００９】
請求項４記載の開口形成具を取付対象物に取り付ける本発明の方法（請求項６）は、前記切断部形成部分を前記取付対象物の内側に固着し、前記本体部分を前記切断貫通部に挿通することにより、前記本体部分のみを円筒状に前記取付対象物の外側に突出させることを特徴とする。
【発明の効果】
【００１０】
本発明請求項１の開口形成方法及び請求項３の開口形成具によれば、切断された取付対象物の貫通部周辺は、合成樹脂シートに付着したままであるので、貫通部から糸がほどけるようなことはない。
【００１１】
本発明請求項３の開口形成具及び請求項４の開口形成方法によれば、取付対象物の外側のみに円筒部が形成されるので、開口形成具が外部から目立たない。
【００１２】
イヤホンコード保持具として使用するとき、本発明の開口形成具は、衣服に対して少なくとも部分的に固着されるので、洗濯のとき以外にはほぼ付けっぱなしになり、紛失することも持参忘れもなくなる。
【００１３】
また、イヤホンコード保持具として使用するとき、本発明の開口形成具は、衣服に対して数カ所で固着されるので、コードにたるみがほとんどなくなり、体の動きの邪魔とならない。コードの長さが長いときには、余剰部分はポケット内に収容すれば問題はない。
【発明を実施するための最良の形態】
【００１４】
合成樹脂シートとしては、例えば、ウレタンシート、シリコンシート、ビニールシートなどを使用することができる。取付対象物に対して目立たない方がよいので、透明シートを使用することが好ましい。形状は、円形、長円形、四角形、その他の多角形、等自由である。
【００１５】
取付対象物に対して取り付ける方法は、ホットメルト接着が簡便であるが、その他、縫製や通常の接着剤による接着でもよい。
【００１６】
切断加工は、カッターや金型による打ち抜き等によるスリット又は孔の形成である。スリットは通常１本で十分であるが、場合によれば複数本でもよい。スリットや孔の形状は直線状、円弧状、波状、円形、長円形、四角形、その他の多角形、等、合成樹脂シートに合わせて選択可能である。切断加工がしやすいように、予め、合成樹脂シートに切断個所を印刷しておくこともできる。
【００１７】
イヤホンコード保持具として使用するとき、開口形成具の数は、４〜１０個程度が適当である。開口形成具が少なすぎるとコードにたるみがでやすく、多すぎると洗濯のときなどにコードを取り外したり再び取り付けたりする作業が大変になる。
【００１８】
請求項３記載の開口形成具の貫通部にコードを挿通させるには、コード末端のプラグを手に持って開口形成具の貫通部に対して順次出没を繰り返す。ちょうど、針で糸を布地に一直線に縫い付けるような具合である。貫通部の大きさはコードが通過するだけでなく、末端のプラグも通過させられるだけの大きさが必要である。
【００１９】
請求項４記載の開口形成具にコードを挿通させるには、前記切断部形成部分を前記取付対象物の内側に固着し、前記本体部分を前記切断貫通部に挿通することにより、前記本体部分のみを前記取付対象物の外側に円筒状に突出させ、この円筒状本体部分にコードを挿通させる。
【実施例１】
【００２０】
以下、添付の図面に基づき、本発明の実施例を説明する。
【００２１】
図１〜３は、第１実施例に係る開口形成具１を示す。図１は、第１実施例に係る開口形成具１を取り付けた状態を示す衣服と着用者を表した正面図である。図２（ａ）は未使用時の拡大正面図、（ｂ）は使用中の拡大正面図、図３は、図２（ｂ）の縦断面図である。
【００２２】
図１に示すように、複数の開口形成具１（図面では４つ）が着用者の首もとからポケットに至るまで、衣服に固定されている。
【００２３】
この開口形成具１は、図１及び図２に示すように、６ｃｍ×（４ｃｍ〜４．５ｃｍ）の楕円状（より正確に言えば、角を丸めた長方形状で、上下短辺の長さに少し差がある）のウレタンシートであり、裏面のホットメルト接着により衣服にしっかりと付着される。
【００２４】
この開口形成具１の長手方向中央には長さ３〜３．５ｃｍのスリット２が１本形成されている。このスリット２は、開口形成具１を衣服に取り付けた後でカッターや金型等により切断して形成されるので、図３に示すように、開口形成具１だけでなく衣服生地３をも貫通している。切断された衣服の切断部周辺は、ウレタンシートに付着したままであるので、切断部から糸がほどけるようなことはない。
【００２５】
コード４を取り付けるには、コード末端のプラグを手に持って開口形成具１のスリット２に対して順次出没を繰り返す。ちょうど、針で糸を布地に一直線に縫い付けるような具合である。各開口形成具１の間のコードは衣服の表面に露出する場合と、衣服の内側に潜伏する場合が交互する。
【００２６】
イヤホンコード４は開口形成具１に密着しているので、体の動きの妨げとなることはない。また、スピーカーが耳から外れ、コードが落下したり、もつれたりすることもない。
【実施例２】
【００２７】
図４〜６は、第２実施例に係る開口形成具１Ａを示す。図４は、第１実施例に係る開口形成具１Ａを取り付けた状態を示す衣服と着用者を表した正面図である。図５（ａ）は未使用時の拡大正面図、（ｂ）は使用中の拡大正面図、図６は、図２（ｂ）の縦断面図である。
【００２８】
図１に示すように、複数の開口形成具１Ａ（図面では４つ）が着用者の首もとからポケットに至るまで、衣服に固定されている。
【００２９】
この開口形成具１Ａは、図４及び図５に示すように、直径１．５ｃｍの円形のウレタンシートであり、裏面のホットメルト接着により衣服にしっかりと付着される。
【００３０】
この開口形成具１Ａの中央には直径７ｍｍ程度の円弧スリット２Ａが１本形成されている。この円弧スリット２Ａは、開口形成具１Ａを衣服に取り付けた後でカッターや金型等により切断して形成されるので、図６に示すように、開口形成具１Ａだけでなく衣服生地３Ａをも貫通している。切断された衣服の切断部周辺は、ウレタンシートに付着したままであるので、切断部から糸がほどけるようなことはない。
【００３１】
コード４Ａを取り付けるには、コード末端のプラグを手に持って開口形成具のスリット２Ａに対して順次出没を繰り返す。ちょうど、針で糸を布地に一直線に縫い付けるような具合である。各開口形成具の間のコードは衣服の表面に露出する場合と、衣服の内側に潜伏する場合が交互する。
【００３２】
イヤホンコード４Ａは開口形成具１Ａに密着しているので、体の動きの妨げとなることはない。また、スピーカーが耳から外れ、コードが落下したり、もつれたりすることもない。
【実施例３】
【００３３】
図７〜１１は、第３実施例に係る開口形成具１Ｃを示す。図７は、第３実施例に係る開口形成具１Ｃを取り付けた状態を示す衣服と着用者を表した正面図である。図８（ａ）は未使用時の拡大正面図、（ｂ）は使用中の拡大正面図、図９は、図８（ｂ）の縦断面図である。図１０は開口形成具の正面図、図１１（ａ）（ｂ）（ｃ）は、取付方法を説明する斜視図である。
【００３４】
図７に示すように、複数の開口形成具１Ｃ（図面では４つ）が着用者の首もとからポケットに至るまで、衣服に固定されている。
【００３５】
この開口形成具１Ｃは、図１０に示すように、全長約５ｃｍ、幅約１ｃｍのテープ状本体部分５と、長手方向一端に設けられたスリット形成部分６と、他端に設けられたストッパー部分７からなり、ウレタンシートで一体的に形成されている。
【００３６】
本体部分５は中央に折り目５１が形成されている。スリット形成部分６は、約２．５ｃｍ×約１ｃｍの長円であり、本体部分５に対して垂直方向に伸びている。ストッパー部分７は、長さ約１．５ｃｍの小片で、本体部分５に対して垂直方向に伸びている。
【００３７】
この開口形成具１Ｃを衣服に取り付ける方法を図１１に基づいて説明する。
【００３８】
まず、スリット形成部分６のみを衣服３Ｃの内側に縫製、接着剤その他の方法により固着する。
【００３９】
続いて、図１１（ａ）に示すように、スリット形成部分６の中央に長さ約１．５ｃｍのスリット２Ｃを形成する。スリット２Ｃは、開口形成具１Ｃを衣服に取り付けた後でカッターや金型等により切断して形成されるので、図９に示すように、開口形成具１Ｃだけでなく衣服生地３Ｃをも貫通している。
【００４０】
次に、（ｂ）に示すように、衣服の内側に位置する本体部分５の折り目５１を摘んで、衣服の内側から外側に向けてスリット２Ｃを貫通させる。本体５末端はストッパー７のためにスリット２Ｃを抜けることはない。
【００４１】
完成状態では、（ｃ）に示すように、本体部分５のみが衣服の外側に起立する。本体部分５は、折り目５１で畳まれた筒状となる。なお、折り目５１はスリット２Ｃを通しやすくするためのものであり、本発明にとって必須というわけではない。
【００４２】
コード４Ｃを取り付けるには、コード末端のプラグを手に持って開口形成具１Ｃの円筒部に対して挿通させる。コード４Ｃはすべて衣服の表面に露出する。
【００４３】
イヤホンコード４Ｃは開口形成具１Ｃに密着しているので、体の動きの妨げとなることはない。また、スピーカーが耳から外れ、コードが落下したり、もつれたりすることもない。
【００４４】
この実施例では、コードホルダーとして使用しないときには、開口形成具１Ｃの円筒部を衣服の中に収容して（すなわち、図１１（ｂ）に状態に戻して）、衣服としての外観をスッキリさせることができる。
【実施例４】
【００４５】
図１２は、実施例４を示す。ここでは開口形成具１Ｄは衣服の通気孔である。
【００４６】
この開口形成具１Dは、図１２に示すように、直径１．５ｃｍの円形のウレタンシートであり、裏面のホットメルト接着により衣服にしっかりと付着される。
【００４７】
この開口形成具１Ｄの中央には直径７ｍｍ程度の円２Ｄが１本形成されている。この円２Ｄは、開口形成具１Ｄを衣服に取り付けた後でカッターや金型等により切断して形成されるので、開口形成具１Ｄだけでなく衣服生地をも貫通している。切断された衣服の切断部周辺は、ウレタンシートに付着したままであるので、切断部から糸がほどけるようなことはない。
【実施例５】
【００４８】
図１２は、実施例５も示す。ここでは開口形成具１Ｅはポケット開口となる。
【００４９】
この開口形成具１Ｅは、図１２に示すように、長さ約１０ｃｍの長円形のウレタンシートであり、裏面のホットメルト接着により衣服にしっかりと付着される。
【００５０】
この開口形成具１Ｅの中央には長さ８ｃｍ程度の長円２Ｅが１本形成されている。この長円２Ｅは、開口形成具１Ｅを衣服に取り付けた後でカッターや金型等により切断して形成されるので、開口形成具１Ｅだけでなく衣服生地をも貫通している。切断された衣服の切断部周辺は、ウレタンシートに付着したままであるので、切断部から糸がほどけるようなことはない。
【００５１】
この開口形成具１Ｅの裏側には、ポケット収容部を形成するための布８又は袋が縫い付けられる。ポケット布８又は袋までも切断すると、内容物が落下しやすくなるので、その取付けは長円２Ｅの切断形成後に行うことが好ましい。
【図面の簡単な説明】
【００５２】
【図１】第１実施例に係る開口形成具１を取り付けた状態を示す衣服と着用者を表した正面図である。
【図２】（ａ）は未使用時の拡大正面図、（ｂ）は使用中の拡大正面図である。
【図３】図２（ｂ）の縦断面図である。
【図４】第２実施例に係る開口形成具１Ａを取り付けた状態を示す衣服と着用者を表した正面図である。
【図５】（ａ）は未使用時の拡大正面図、（ｂ）は使用中の拡大正面図である。
【図６】図５（ｂ）の縦断面図である。
【図７】第３実施例に係る開口形成具１Ｃを取り付けた状態を示す衣服と着用者を表した正面図である。
【図８】（ａ）は未使用時の拡大正面図、（ｂ）は使用中の拡大正面図である。
【図９】図８（ｂ）の縦断面図である。
【図１０】開口形成具の正面図である。
【図１１】（ａ）（ｂ）（ｃ）は、取付方法を説明する斜視図である。
【図１２】第４実施例及び第５実施例に係る開口形成具１Ｃを取り付けた状態を示す衣服と着用者を表した正面図である。
【符号の説明】
【００５３】
１，１Ａ，１Ｃ，     開口形成具（イヤホンコード保持具）
１Ｄ                 開口形成具（通気孔）
１Ｅ          開口形成具（ポケット開口）
２，２Ａ，２Ｃ，２Ｄ，２Ｅ         貫通切断部（スリット又は切り抜き）
３，３Ａ，３Ｃ              衣服生地
４，４Ａ，４Ｃ              イヤホンコード
５     テープ状本体
６     スリット形成部分
７     ストッパー部分
５１   折り目
【図１】
2008263341.tif 000003
【図２】
2008263341.tif 000004
【図３】
2008263341.tif 000005
【図４】
2008263341.tif 000006
【図５】
2008263341.tif 000007
【図６】
2008263341.tif 000008
【図７】
2008263341.tif 000009
【図８】
2008263341.tif 000010
【図９】
2008263341.tif 000011
【図１０】
2008263341.tif 000012
【図１１】
2008263341.tif 000013
【図１２】
2008263341.tif 000014